(57)【要約】  【課題】  ハードディスクから光ディスクに情報をダビングする際に、記録のビットレートを変更した場合、このときの映像を確認できる機能を有する複合型記録再生装置を提供する。  【解決手段】  ＨＤ−ＤＶＤダビングモードに設定すると、ダビング設定画面が表示され、ビットレートを低く変更してダビングする映像データを圧縮する指示が与えられ、前記ビットレートにより再生される映像を確認したい指示が与えられると、ハードディスク装置側で映像の開始からの例えば１分間の映像データが、前記ビットレートで圧縮されて試し再生される。そして、ユーザが前記試し再生され表示された映像の画質の粗さを見て了解した場合に、ダビングを実行する指示が与えられると、ダビング対象の前記圧縮された映像データがダビング開始される。【選択図】      図４
2007042197.tif 000002
【特許請求の範囲】
【請求項１】
光ディスクに対して情報の記録／再生を行う光ディスク装置と、ハードディスクに対し
て情報の記録／再生を行うハードディスク装置とを備えた複合型記録再生装置において、
前記ハードディスクに記録された情報を前記光ディスクにダビングするためにダビング
モード設定を行った際に表示されるダビング設定画面にてビットレートを低く変更してダ
ビングする映像データを圧縮する指示が与えられたか否を判定する圧縮判定手段と、
前記圧縮する指示が与えられたと判定された場合に、前記ビットレートにより再生され
る映像を確認する指示が与えられると、前記ハードディスク装置側で映像の開始からの所
定時間の分の映像データを前記ビットレートで圧縮して試し再生させ表示手段に映像を表
示させる試し再生手段と、
ユーザが前記試し再生され表示された映像の画質の粗さを見て了解した場合に、ダビン
グを実行する指示が与えられると、ダビング対象の前記圧縮された映像データをダビング
開始させるダビング開始手段とを有するシステムコントローラを備えたことを特徴とする
複合型記録再生装置。
【請求項２】
光ディスクに対して情報の記録／再生を行う光ディスク装置と、ハードディスクに対し
て情報の記録／再生を行うハードディスク装置とを備えた複合型記録再生装置において、
前記ハードディスクに記録された情報を前記光ディスクにダビングする際に、前記ハー
ドディスク装置側で映像の開始からの所定時間の分の映像データを変更されたビットレー
トで圧縮して試し再生させ映像を表示手段に表示させ、ユーザが前記試し再生され表示さ
れた映像の画質の粗さを見て了解すれば、ダビング対象の映像データを圧縮してダビング
を開始させるシステムコントローラを備えたことを特徴とする複合型記録再生装置。
【請求項３】
前記システムコントローラは、前記ハードディスクに記録された情報を前記光ディスク
にダビングするためにダビングモード設定を行った際に表示されるダビング設定画面にて
ビットレートを低く変更してダビングする映像データを圧縮する指示が与えられたか否を
判定する圧縮判定手段と、前記圧縮する指示が与えられたと判定された場合に、前記ビッ
トレートにより再生される映像を確認する指示が与えられると、前記ハードディスク装置
側で映像の開始からの所定時間の分の映像データを前記ビットレートで圧縮して試し再生
させ表示手段に映像を表示させる試し再生手段と、ユーザが前記試し再生され表示された
映像の画質の粗さを見て了解した場合に、ダビングを実行する指示が与えられると、ダビ
ング対象の前記圧縮された映像データをダビング開始させるダビング開始手段とを有する
ことを特徴とする請求項２に記載の複合型記録再生装置。
【発明の詳細な説明】
【技術分野】
【０００１】
本発明は、光ディスクに対して情報の記録／再生を行う光ディスク装置と、ハードディ
スクに対して情報の記録／再生を行うハードディスク装置とを備えた複合型記録再生装置
に関し、特に、ハードディスクに記録された情報を光ディスクにダビングする際の処理に
関する。
【背景技術】
【０００２】
近年、ＤＶＤ（デジタル・バーサタイル・ディスク）などの光ディスクに対して情報の
記録／再生を行う光ディスク装置と、ＨＤ（ハードディスク）に対して情報の記録／再生
を行うハードディスク装置とを備えた複合型記録再生装置が普及してきている。このよう
な複合型記録再生装置では、テレビ放送の番組を記録する場合、ＤＶＤ記録モードに設定
すれば、ＤＶＤ（書き込み可能なＤＶＤ−Ｒや書き換え可能なＤＶＤ−ＲＷなど）に番組
を記録でき、また、ＨＤ記録モードにすれば、ＨＤに番組を記録することができる。
【０００３】
一般に、このような複合型記録再生装置により例えばテレビ番組を記録する場合、ＨＤ
記録モードに設定し、ＤＶＤに比べて大容量のＨＤ側に番組を記録することが多い。そし
て、ユーザによっては、ＨＤからＤＶＤに希望の番組をダビングしたい場合がある。この
ようなダビングを行う際に、配慮しなければならない点は、ＨＤに記録された一つの情報
が１枚のＤＶＤに記録できるように、あるいはＨＤに記録された複数の情報が１枚のＤＶ
Ｄに記録できるように、ＤＶＤ記録モード時のビットレートをＨＤ記録モード時のビット
レートよりも低くする場合がある。
【特許文献１】特開２００３−３２４６８０号公報
【特許文献２】特開２００４−１２７４７０号公報
【特許文献３】特開２００５−５０３９５号公報
【発明の開示】
【発明が解決しようとする課題】
【０００４】
しかしながら、ＨＤに記録された情報をＤＶＤにダビングする場合に、１枚のＤＶＤの
容量を有効に利用するため、ＤＶＤに対する記録のビットレートを低くし過ぎると、その
ＤＶＤを再生したときの映像の画質が粗くて、見辛くなり、ユーザに対しては不快感を与
え、ダビングとしては失敗したことになり、特に書き換えが不可能なＤＶＤ−Ｒなどの光
ディスクを無駄にすることにも成りかねないという課題が生じる。
【０００５】
なお、特許文献１の従来技術では、ＤＶＤへのダビングに際して、ハードディスクに蓄
積された動画データのレート変換を行う場合、変換前の動画データのストリーム中に、予
め所定間隔で埋め込まれたレート変換を後で実行するときに利用する情報（符号化統計量
）に基づいてレート変換を行うことにより、高画質のレート変換が行うことを可能にして
いるが、ハードディスクに記録された情報をＤＶＤにダビングする場合に、１枚のＤＶＤ
の容量を有効に利用するため、ＤＶＤに対する記録のビットレートを低くしたとき、その
ＤＶＤを再生したときの映像の画質が粗くて、見辛くなることに対する対策は施されてい
ないので、上記のような課題を解決できるものではない。
【０００６】
特許文献２の従来技術では、ダビング先とダビング元のデータレートが一致する場合に
は、ハードディスクから読み出した圧縮画像データを光ディスクに直接供給し、一方、デ
ータレートが一致しない場合には、圧縮画像データをデコードした後に再エンコードして
光ディスクに記録するようにしているが、ハードディスクから光ディスクへのダビング開
始前に、その圧縮画像データによる映像がどの程度の画質のものであるかを確認すること
ができないので、上記のような課題を解決できるものではない。
【０００７】
特許文献３の従来技術では、ＤＶＤの記憶容量などに対応してハードディスクに記録し
ている記録情報を、その情報量を維持しつつＤＶＤにダビングするものであるが、ハード
ディスクからＤＶＤへのダビング開始前に、ダビングされる映像がどの程度の画質のもの
であるかを確認することができないので、上記のような課題を解決できるものではない。
【０００８】
本発明は、上記のような課題を解決するためになされたもので、ハードディスクから光
ディスクに情報をダビングする際に、記録のビットレートを変更した場合、このときの映
像を確認できる機能を有する複合型記録再生装置を提供することを目的とする。
【課題を解決するための手段】
【０００９】
上記目的を達成するために、請求項１の発明は、光ディスクに対して情報の記録／再生
を行う光ディスク装置と、ハードディスクに対して情報の記録／再生を行うハードディス
ク装置とを備えた複合型記録再生装置において、前記ハードディスクに記録された情報を
前記光ディスクにダビングするためにダビングモード設定を行った際に表示されるダビン
グ設定画面にてビットレートを低く変更してダビングする映像データを圧縮する指示が与
えられたか否を判定する圧縮判定手段と、前記圧縮する指示が与えられたと判定された場
合に、前記ビットレートにより再生される映像を確認する指示が与えられると、前記ハー
ドディスク装置側で映像の開始からの所定時間の分の映像データを前記ビットレートで圧
縮して試し再生させ表示手段に映像を表示させる試し再生手段と、ユーザが前記試し再生
され表示された映像の画質の粗さを見て了解した場合に、ダビングを実行する指示が与え
られると、ダビング対象の前記圧縮された映像データをダビング開始させるダビング開始
手段とを有するシステムコントローラを備えたことを特徴とする複合型記録再生装置を提
供する。
【００１０】
この構成において、先ず、リモコンを操作して、複合型記録再生装置をＨＤ−ＤＶＤダ
ビングモードに設定すると、ダビング設定画面が表示手段に表示され、ビットレートを低
く変更してダビングする映像データを圧縮するかをユーザに聞き、ユーザが圧縮すると言
う指示を与えると、前記映像データを圧縮すると言うことが圧縮判定手段により判定され
、更に、ユーザが前記ビットレートにより再生される映像を確認したい指示を与えると、
前記ハードディスク装置側で映像の開始からの所定時間の分の映像データが、試し再生手
段により前記ビットレートで圧縮されて試し再生され、表示手段に映像が表示される。そ
して、ユーザが前記試し再生され表示された映像の画質の粗さを見て了解した場合に、ダ
ビングを実行する指示が与えられると、ダビング対象の前記圧縮された映像データがダビ
ング開始手段によりダビング開始される。
【００１１】
この構成によれば、ハードディスクから光ディスクに情報をダビングする際に、記録の
ビットレートを変更した場合、このときの映像を確認できる。したがって、ハードディス
クに記録された情報を光ディスクにダビングする場合に、光ディスクに対する記録のビッ
トレートを低くし過ぎて、その光ディスクを再生したときの映像の画質が粗くなることを
事前にユーザは知ることができ、この結果、ダビング後の再生映像が見辛くなって、ユー
ザに不快感を与えようなことがなくなって、ダビングに失敗することがなくなり、光ディ
スクを無駄にするようなこともなくなる。
【００１２】
請求項２の発明は、光ディスクに対して情報の記録／再生を行う光ディスク装置と、ハ
ードディスクに対して情報の記録／再生を行うハードディスク装置とを備えた複合型記録
再生装置において、前記ハードディスクに記録された情報を前記光ディスクにダビングす
る際に、前記ハードディスク装置側で映像の開始からの所定時間の分の映像データを変更
されたビットレートで圧縮して試し再生させ映像を表示手段に表示させ、ユーザが前記試
し再生され表示された映像の画質の粗さを見て了解すれば、ダビング対象の映像データを
圧縮してダビングを開始させるシステムコントローラを備えたことを特徴とする複合型記
録再生装置を提供する。
【００１３】
この構成において、前記ハードディスクに記録された情報を前記光ディスクにダビング
する際に、前記ハードディスク装置側で映像の開始からの所定時間の分の映像データが変
更ビットレートで圧縮され、試し再生された映像が表示手段に表示される。そして、ユー
ザが表示された映像の画質の粗さを見て了解すれば、ダビング対象の映像データが圧縮さ
れ、ダビングが開始される。
【００１４】
この構成によれば、ハードディスクから光ディスクに情報をダビングする際に、記録の
ビットレートを変更した場合、このときの映像を確認できる。したがって、ハードディス
クに記録された情報を光ディスクにダビングする場合に、光ディスクに対する記録のビッ
トレートを低くし過ぎて、その光ディスクを再生したときの映像の画質が粗くなることを
事前にユーザは知ることができ、この結果、ダビング後の再生映像が見辛くなって、ユー
ザに不快感を与えようなことがなくなって、ダビングに失敗することがなくなり、光ディ
スクを無駄にするようなこともなくなる。
【００１５】
請求項３の発明では、請求項２の発明において、前記システムコントローラは、ハード
ディスクに記録された情報を光ディスクにダビングするためにダビングモード設定を行っ
た際に表示されるダビング設定画面にて、ビットレートを低く変更してダビングする映像
データを圧縮する指示が与えられたか否を判定する圧縮判定手段と、前記圧縮する指示が
与えられたと判定された場合に、前記ビットレートにより再生される映像を確認する指示
が与えられると、前記ハードディスク装置側で映像の開始からの所定時間の分の映像デー
タを前記ビットレートで圧縮して試し再生させ表示手段に映像を表示させる試し再生手段
と、ユーザが前記試し再生され表示された映像の画質の粗さを見て了解した場合に、ダビ
ングを実行する指示が与えられると、ダビング対象の前記圧縮された映像データをダビン
グ開始させるダビング開始手段とを有する。
【００１６】
したがって、前記システムコントローラは、ハードディスクに記録された情報を光ディ
スクにダビングするためにダビングモード設定を行った際に表示されるダビング設定画面
にて、ビットレートを低く変更してダビングする映像データを圧縮する指示が与えられた
か否を判定する処理と、前記圧縮する指示が与えられたと判定された場合に、前記ビット
レートにより再生される映像を確認する指示が与えられると、前記ハードディスク装置側
で映像の開始からの所定時間の分の映像データを前記ビットレートで圧縮して試し再生さ
せ表示手段に映像を表示させる処理と、ユーザが前記試し再生され表示された映像の画質
の粗さを見て了解した場合に、ダビングを実行する指示が与えられると、ダビング対象の
前記圧縮された映像データをダビング開始させる処理とを有するので、ハードディスクに
記録された情報を光ディスクにダビングする場合に、光ディスクに対する記録のビットレ
ートを低くし過ぎて、その光ディスクを再生したときの映像の画質が粗くなったままダビ
ングするようなことをなくすことができる。
【発明の効果】
【００１７】
以上のように本発明によれば、光ディスクに対して情報の記録／再生を行う光ディスク
装置と、ハードディスクに対して情報の記録／再生を行うハードディスク装置とを備えた
複合型記録再生装置において、前記ハードディスクに記録された情報を前記光ディスクに
ダビングするためにダビングモード設定を行った際に表示されるダビング設定画面にてビ
ットレートを低く変更してダビングする映像データを圧縮する指示が与えられたか否を判
定する圧縮判定手段と、前記圧縮する指示が与えられたと判定された場合に、前記ビット
レートにより再生される映像を確認する指示が与えられると、前記ハードディスク装置側
で映像の開始からの所定時間の分の映像データを前記ビットレートで圧縮して試し再生さ
せ表示手段に映像を表示させる試し再生手段と、ユーザが前記試し再生され表示された映
像の画質の粗さを見て了解した場合に、ダビングを実行する指示が与えられると、ダビン
グ対象の前記圧縮された映像データをダビング開始させるダビング開始手段とを有するシ
ステムコントローラを備えたので、ハードディスクから光ディスクに情報をダビングする
際に、記録のビットレートを変更した場合、このときの映像を確認できる。したがって、
ハードディスクに記録された情報を光ディスクにダビングする場合に、光ディスクに対す
る記録のビットレートを低くし過ぎて、その光ディスクを再生したときの映像の画質が粗
くなることを事前にユーザは知ることができ、この結果、ダビング後の再生映像が見辛く
なって、ユーザに不快感を与えようなことがなくなって、ダビングに失敗することがなく
なり、光ディスクを無駄にするようなこともなくなる。
【００１８】
また、本発明によれば、光ディスクに対して情報の記録／再生を行う光ディスク装置と
、ハードディスクに対して情報の記録／再生を行うハードディスク装置とを備えた複合型
記録再生装置において、前記ハードディスクに記録された情報を前記光ディスクにダビン
グする際に、前記ハードディスク装置側で映像の開始からの所定時間の分の映像データを
変更されたビットレートで圧縮して試し再生させ映像を表示手段に表示させ、ユーザが前
記試し再生され表示された映像の画質の粗さを見て了解すれば、ダビング対象の映像デー
タを圧縮してダビングを開始させるシステムコントローラを備えたので、ハードディスク
から光ディスクに情報をダビングする際に、記録のビットレートを変更した場合、このと
きの映像を確認できる。したがって、ハードディスクに記録された情報を光ディスクにダ
ビングする場合に、光ディスクに対する記録のビットレートを低くし過ぎて、その光ディ
スクを再生したときの映像の画質が粗くなることを事前にユーザは知ることができ、この
結果、ダビング後の再生映像が見辛くなって、ユーザに不快感を与えようなことがなくな
って、ダビングに失敗することがなくなり、光ディスクを無駄にするようなこともなくな
る。
【発明を実施するための最良の形態】
【００１９】
以下、添付図面を参照しつつ、本発明の実施の形態について説明する。図１は本発明の
一実施形態に係る複合型記録再生装置の構成を示すブロック図である。
【００２０】
この複合型記録再生装置１は、光ディスクとしてのＤＶＤ（デジタル・バーサタイル・
ディスク）１３に対して情報の記録／再生を行うＤＶＤレコーダである光ディスク装置２
と、ＨＤ（ハードディスク）１４に対して情報の記録／再生を行うハードディスク装置３
と、図示しないアンテナからのテレビ放送信号を受信し、所望のチャンネルのテレビ放送
信号を選択して映像音声信号として出力するチューナ４と、光ディスク装置２またはハー
ドディスク装置３またはチューナ４から出力された映像音声信号を復号するデコーダ５と
、チューナ４が受信可能な放送チャンネルを記憶すると共にシステムコントローラ１０の
動作に必要なプログラムなどを記憶するフラッシュＲＯＭ６と、デコーダ５で復号された
映像信号をモニタ装置（テレビ受信機など）１２で表示可能な映像信号に変換する映像出
力部７と、デコーダ５で復号された音声信号をモニタ装置１２で出力可能な音声信号に変
換する音声出力部８と、リモコン１１から送信された赤外光の各種の指令信号を受信し、
受信した赤外光の指令信号を電気信号の指令信号に変換し、この指令信号をシステムコン
トローラ１０に入力するリモコン受信部９と、装置全体を制御する前記システムコントロ
ーラ１０とを備えている。
【００２１】
システムコントローラ１０は、本実施形態の特徴として、ＨＤ（ハードディスク）１４
に記録された情報をＤＶＤ１３にダビングするためにダビングモード設定を行った際に表
示されるダビング設定画面（図２参照）にてビットレートを低く変更してダビングする映
像データを圧縮する指示が与えられたか否を判定する圧縮判定手段１０１と、前記圧縮す
る指示が与えられたと判定された場合に、前記ビットレートにより再生される映像を確認
する指示が与えられるとハードディスク装置３側で映像の開始からの所定時間の分の映像
データを前記ビットレートで圧縮して試し再生させモニタ装置１２に映像を表示させる試
し再生手段１０２と、ユーザが前記試し再生され表示された映像の画質の粗さを見て了解
した場合に、ダビングを実行する指示が与えられると、ダビング対象の前記圧縮された映
像データをダビング開始させるダビング開始手段１０３とを有する。
【００２２】
図２は本実施形態においてＨＤからＤＶＤへの情報のダビング行う際にダビングモード
設定にされたときに表示されるダビング設定画面の一例を示す図である。
【００２３】
このダビング設定画面において、番組名はＨＤ１４に記録された番組の名前を示し、Ｈ
Ｄ記録ビットレートは当該番組がＨＤ１４に記録されたときの記録ビットレート、ＨＤ容
量は当該番組がＨＤ１４に記録された容量、ＤＶＤ記録ビットレートは当該番組がＤＶＤ
１３に記録されるときの記録ビットレート、予想ＤＶＤ容量は当該番組がＤＶＤ１３に記
録されたときの予想の容量をそれぞれ示す。
【００２４】
例えば、洋画劇場Ａは、ＨＤ１４において記録モード（録画モード）ＸＰ（ビットレー
トが最も高い記録モード）で記録された番組であり、ＨＤ容量が６ＧＢになっている。こ
の洋画劇場Ａの情報をＤＶＤ１３にダビングする場合、ＤＶＤ記録ビットレートが、ＸＰ
のビットレートであれば、予想ＤＶＤ容量が６ＧＢになり、ＳＰのビットレートであれば
、予想ＤＶＤ容量が４ＧＢになり、ＬＰのビットレートであれば、予想ＤＶＤ容量が２Ｇ
Ｂになり、ＥＰのビットレートであれば、予想ＤＶＤ容量が１ＧＢになる。しかし、ＤＶ
Ｄ１３の定格容量が例えば４．７ＧＢであれば、ＸＰのビットレートでは洋画劇場Ａの情
報を全部記録するには容量不足になるので、ＳＰのビットレート、ＬＰのビットレート、
あるいはＥＰのビットレートでダビングすることになる。
【００２５】
そこで、ユーザはＤＶＤ１３をできるだけ有効に利用するため、記録ビットレートを下
げてダビングしたい場合がある。ダビングした映像の画質が粗くて見にくくならない限り
、できるだけ記録ビットレートを下げてＤＶＤ１３に洋画劇場Ａの情報を記録したい場合
がある。このような場合に対して本実施形態では、記録ビットレートを下げた場合の映像
の画質を見て、ユーザが了解すれば、その記録ビットレートでＤＶＤ１３に情報を記録（
ダビング）するようにしている。
【００２６】
図２において、ドラマＢについては、ＨＤ１４において記録モード（録画モード）ＳＰ
で記録された番組であり、ＨＤ容量が６ＧＢになっている。このドラマＢの情報をＤＶＤ
１３にダビングする場合、ＤＶＤ記録ビットレートが、ＳＰのビットレートであれば、予
想ＤＶＤ容量が６ＧＢになり、ＬＰのビットレートであれば、予想ＤＶＤ容量が３ＧＢに
なり、ＥＰのビットレートであれば、予想ＤＶＤ容量が１．５ＧＢになる。説明は省略す
るが、ドラマＢの場合も、洋画劇場Ａと同様な処理を行うことができる。
【００２７】
図３は本実施形態において試し再生された映像の画質でダビングを実行するか否かを確
認するための確認画面の一例を示す図である。この確認画面には、「試し再生された映像
の画質でダビングを実行しますか？」「予想容量１ＧＢになります。」が表示され、前記
試し再生された映像の画質でダビングを実行させる場合は、リモコン１１を操作して図示
しないカーソルで「はい」を選択して決定し、実行させない場合は、同じくカーソルで「
いいえ」を選択して決定すれば良い。
【００２８】
図４は本実施形態においてＨＤからＤＶＤに情報のダビングを開始する前の処理を説明
するためのフローチャートである。このフローチャートおよび図１〜図３を参照してＨＤ
からＤＶＤに情報のダビングを開始する前の処理について説明する。
【００２９】
先ず、リモコン１１を操作して、複合型記録再生装置１をＨＤ−ＤＶＤダビングモード
に設定すると（ステップＳ１）、システムコントローラ１０は、例えば、図２に示すよう
なダビング設定画面をモニタ装置１２に表示させる（ステップＳ２）。そして、リモコン
１１を操作して、ダビング対象の番組を選択し、ＤＶＤ１３に記録するときのＤＶＤ記録
ビットレートを例えば最低のビットレート（ＥＰ）に設定し、この最低のビットレートで
ダビングする映像データを圧縮するかをユーザに聞き、ユーザが圧縮すると言う指示をリ
モコン１１の操作によって与えると、システムコントローラ１０の圧縮判定手段１０１は
、前記映像データを圧縮すると言う指示がユーザから有ったことを判定する（ステップＳ
３）。なお、圧縮する指示がされていない場合には、選択した映像データを、予め設定さ
れている記録ビットレートでダビングが開始される（ステップＳ９）。
【００３０】
前記圧縮する指示が有った場合、次に、ユーザが前記最低のビットレートにより再生さ
れる映像を確認したい指示を、リモコン１１を操作して与えると（ステップＳ４）、シス
テムコントローラ１０の試し再生手段１０２は、ハードディスク装置３を駆動させ、これ
により、ハードディスク装置３は、ＨＤ１４に対して再生動作させ、再生の映像の開始か
ら１分間（１分間に限らず所定時間であれば良い）の映像データを前記最低のビットレー
トで圧縮して試し再生し、モニタ装置１２に映像を表示する。再生の映像の開始から１分
間の映像データは、ハードディスク装置３内において、一旦ＲＡＭ（図示せず）あるいは
ＨＤ１４に格納され、前記最低のビットレートで圧縮され、この後、再生される。
【００３１】
この後、例えば、図３に示すような確認画面がモニタ装置１２に表示され、ユーザが前
記試し再生され表示された映像の画質の粗さを見て了解した場合に、リモコン１１を操作
して前記確認画面上の「はい」を選択して決定して、ダビングを実行する指示が与えられ
ると（ステップＳ６）、システムコントローラ１０のダビング開始手段１０３は、ハード
ディスク装置３を再生動作させ、光ディスク装置２を記録動作させ、ダビング対象（例え
ば図２のダビング設定画面で選択した番組）の圧縮された映像データをＨＤ１４からＤＶ
Ｄ１３へダビング開始させる（ステップＳ７）。
【００３２】
ところが、ステップＳ５において、ユーザが試し再生された映像を見て、画質が粗くて
満足しなかった場合は、例えば図３の確認画面において「いいえ」を選択して決定すると
、ステップＳ８に移る。ステップＳ８では、再び図２のダビング設定画面が表示され、Ｄ
ＶＤ記録ビットレートを１段階高いレート（ＬＰのビットレート）に設定してビットレー
トが変更される。そして、映像を確認する指示が与えられ（ステップＳ４）、前記と同様
に映像の開始１分間の映像データを圧縮して再生させる（ステップＳ５）。
【００３３】
そして、ダビングを実行する指示が与えられると（ステップＳ６）、システムコントロ
ーラ１０のダビング開始手段１０３は、ハードディスク装置３を再生動作させると共に光
ディスク装置２を記録動作させ、ダビング対象（例えば図２のダビング設定画面で選択し
た番組）の前記圧縮された映像データをＨＤ１４からＤＶＤ１３へダビング開始させる（
ステップＳ７）。なお、映像を確認する指示が与えられない場合は、試し再生を行わずに
、選択した映像データを圧縮してダビングを開始させる（ステップＳ７）。
【００３４】
以上のような処理によりダビングが開始され、ＨＤ１４からＤＶＤ１３への情報のダビ
ングが終了すれば（ステップＳ１０）、本処理は終える。
【００３５】
以上説明したように本実施形態によれば、ＨＤ１４からＤＶＤ１３に情報をダビングす
る際に、記録のビットレートを変更した場合、このときの映像を確認できる。したがって
、ＨＤ１４に記録された情報をＤＶＤ１３にダビングする場合に、ＤＶＤ１３に対する記
録のビットレートを低くし過ぎて、そのＤＶＤ１３を再生したときの映像の画質が粗くな
ることを事前にユーザは知ることができ、この結果、ダビング後の再生映像が見辛くなっ
て、ユーザに不快感を与えようなことがなくなって、ダビングに失敗することがなくなり
、ＤＶＤ１３を無駄にするようなこともなくなる。
【図面の簡単な説明】
【００３６】
【図１】本発明の一実施形態に係る複合型記録再生装置の構成を示すブロック図である。
【図２】前記実施形態においてＨＤからＤＶＤへの情報のダビングを行う際にダビングモード設定にされたときに表示されるダビング設定画面の一例を示す図である。
【図３】前記実施形態において試し再生された映像の画質でダビングを実行するか否かを確認するための確認画面の一例を示す図である。
【図４】前記実施形態においてＨＤからＤＶＤに情報のダビングを開始する前の処理を説明するためのフローチャートである。
【符号の説明】
【００３７】
１    複合型記録再生装置
２    光ディスク装置
３    ハードディスク装置
１０    システムコントローラ
１２    モニタ装置（表示手段を含む）
１３    ＤＶＤ（光ディスク）
１４    ＨＤ（ハードディスク）
１０１    圧縮判定手段
１０２    試し再生手段
１０３    ダビング開始手段
【図１】
2007042197.tif 000003
【図２】
2007042197.tif 000004
【図３】
2007042197.tif 000005
【図４】
2007042197.tif 000006